(57)【要約】【目的】小さな炎でも作動することができ、且つごみ箱の広範囲に消火材を行き渡らせることができる消火具を提供することを目的とする。【構造】上方にごみ投入口３を有するごみ箱１に設置したとき、ごみ投入口３に対応する通孔５を有し、中に水６と空気７を収納可能にした袋体８を本体とする消火具であって、この袋体８の少なくとも一側を、セロファン又はプラスチックフィルム又は樹脂系のエマルジョン又はラテックス１２で形成すると共に、中に水６と空気７を収容する。これにより、空気７と接する部分が素早く炎１３によって広範囲に破壊され水６をごみ箱１内に撒くことができる。従って、人が監視しなくとも速やかに消火を行うことができる。【選択図】  図１
2004305229.tif 000002
【特許請求の範囲】
【請求項１】
上方にごみ投入口を有するごみ箱に取り付けられる消火具であって、該消火具は、ゴミ箱内に止着可能であり、中に消火材と気体を収納可能にした袋体であり、該袋体の少なくとも一側が、セロファン又はプラスチックフィルム又は樹脂系のエマルジョン又はラテックス等弾性を有する素材からなることを特徴とするごみ箱用消火具
【請求項２】
ごみ箱内に止着したとき前記ごみ投入口に対応する位置に、通孔を有することを特徴とする請求項１のするごみ箱用消火具
【請求項３】
前記袋体が消火材と気体を加圧状態で収納したものであることを特徴とする請求項１のするごみ箱用消火具
【請求項４】
前記袋体の内部が適当な数の室に区分けされていることを特徴とする請求項１のごみ箱用消火具
【請求項５】
ごみ箱の筐体又は蓋部分の適宜の箇所に止着できるように、前記袋体の周囲に締め紐が貫通したフレアーが形成されていることを特徴とする請求項１のごみ箱用消火具
【請求項６】
ごみ箱の適宜の箇所に止着できるように、前記袋体の少なくとも両端にフックを有する掛け紐が設けられていることを特徴とする請求項１のごみ箱用消火具
【請求項７】
ごみ箱の蓋の裏面に止着できるように、前記袋体の適宜の部位に粘着テープが設けられていることを特徴とする請求項１のごみ箱用消火具
【発明の詳細な説明】
【０００１】
【産業上の利用分野】
本発明は、消火器の一種であり、特にごみ箱に取り付けられる消火具に関するものである。
【０００２】
【従来技術と問題点】
火事の原因の内で最も多いのは、タバコの不始末であるとされているが、完全に消えていないタバコの吸殻を、ごみと一緒にごみ箱に投げ込んでそこから失火することもよくあることである。特に、駅やデパートなどの公共の場所で使用されるごみ箱は、十分に管理が行き届かないし、責任感の薄い不特定多数の者によって使用されるため、失火することが多い。
【０００３】
これを防ぐためには、そのようなごみ箱は、煙や炎が生じた時点で、ごみ箱に水をかけて消すほかないが、発見が遅ければ火災となるものであり、それを回避するには、常時監視体制をごみ箱のある場所ごとに取る必要があり、また発見しても水の補給が円滑に行えなければ、消火することはできない。
【０００４】
このため、本出願人により、ごみ箱に装備可能なごみ箱用の消火具が発明されて、ごみ箱から発生する火事を未然に防ぐことができるようになり一応の成果を上げている。しかして、この消火具は、小さな炎では消火用の水を収容する袋が破れず、また、破れてもその部分の破れに留まり、そこから消火用の水が流れ落ちてしまいごみ箱の広範囲に消火用の水を行き渡らせることができなかった。
【０００５】
【目的】
本発明は上述した問題点に鑑みてなされたもので、小さな炎でも作動することができ、且つごみ箱の広範囲に消火材を行き渡らせることができる消火具を提供することを目的とするものである。
【０００６】
【問題を解決するための手段】
本発明の要旨とするところは、上方にごみ投入口を有するごみ箱に取り付けられる消火具であって、該消火具は、ごみ箱内に止着可能であり、中に消火材と気体を収納した袋体であり、該袋体の少なくとも一側が、セロファン又はプラスチックフィルム又は樹脂系のエマルジョン又はラテックス等弾性を有する素材からなることを特徴とするごみ箱用消火具である。
【０００７】
本消火具は、ごみ箱の上方にごみ投入口を有するごみ箱に使用されるものであり、このごみ箱は、上方の開口を有する筐体とこの開口を閉塞しその中央にごみ投入口を形成した蓋とからなるものが普通であるが、その形態を問わず、たとえば、その蓋は、ごみ投入口を軸回転する回転蓋を設けたものであってもよい。
【０００８】
消火具は、ゴミ箱内に止着されるものであれば如何なるでもよいが、ごみ箱に止着したとき前記ごみ投入口に対応する通孔を有することが望ましく、中央に前記蓋のごみ投入口にほぼ等しい通孔を有し、蓋の内側に設置されたときに、ごみ投入口と通孔が重なり、投下されるごみの落下を邪魔しないようにする。消火具は、通孔を除いては袋体であり、消火材と気体を収納できるようになっている。袋体は、消火材と気体を加圧状態で収納する。
【０００９】
消火材は、炎を消すことができるものであれば何でもよく、具体的には、液状体あるいは粉末体のいずれをも含む。その液状体は炎を消すことができる液体であれば何でもよく、消化剤溶液あるいは単なる水を含む。また、粉末体も、粉末消火器に用いられているリン酸アンモニウムを主原料とした粉末体でもよい。
気体は、炎を特別に大きくすることがない気体であれば何でもよく、具体的には、空気であればよい。その気体は、適当な加圧状態で袋体に収納に封入することが望ましい。すなわち、袋体に内圧を掛けた状態にする。
【００１０】
この袋体の少なくとも一側が消火材と気体を保持するが、炎には容易に破壊されるセロファン又はプラスチックフィルム又は樹脂系のエマルジョン又はラテックスとなっている。
また、袋体内部を適当に区分けして、消火材と気体を収納する室を複数設けてもよい。この場合も、消火材と気体を適当に加圧した状態で袋体に収納してもよい。
【００１１】
そして、この袋体（消火具）の周囲には、フレアーが形成されており、このフレアー全体を締め紐が貫通しており、ごみ箱の筐体の開口あるいは蓋の適宜の箇所に止着される。さらに、ごみ箱の適宜の箇所に止着できるように、先端にフックを有する掛け紐が両端に形成されていることが望ましい。
勿論、上述の締め紐によってではなく、他の適当な部材、例えば両面テープ等によって蓋の裏面に貼り付けるようにしてもよい。
【００１２】
ラテックスは、天然ラテックスと合成ラテックスがあって、天然ラテックスはゴム樹から採取したもので、合成ラテックスは乳化重合によって製造された合成ゴムおよび熱可塑性樹脂の乳濁液のものである。また、一方ではラテックスをエマルジョンと呼ぶこともあり、しかして、一般にはゴム系がラテックス、樹脂系がエマルジョンと呼ばれている。これらは原則として弾性を有するので、気体を入れれば、内圧が生じる。素材は、ラテックス又はエマルジョンのほか、気体の封入により内圧が生じる弾性を有する素材を含む。
【００１３】
【作用】
本発明のごみ箱用消火具は以上のように構成されているので、消火具すなわち袋体の中に予め消火材と気体を注入する。あるいは、消火具（袋体）に内圧が掛かるように消火材と気体を注入する。
そして、ごみ箱の蓋を開けて、蓋の投入口と消火具の通孔を対応させて、ごみ箱の開口に消火具を装備させ、その上から蓋を重ねる。この際、セロファン又はプラスチックフィルム又は樹脂系のエマルジョン又はラテックスとした袋体の一側を下側に位置させ、フレアーにある締め紐で開口縁にしっかり止め、その上に蓋を載せる。
【００１４】
吸殻などが誤って投入され、ごみ箱内のごみに火が引火して炎が上方に及ぶと、セロファン又はプラスチックフィルム又は樹脂系のエマルジョン又はラテックスとした消火具（袋体）が炎で破壊され、中の消火材がこぼれ落ちて、引火したごみの消火が行われる。この消火は、消火具（袋体）に気体も注入されていることから、その気体と接する部分が素早く炎によって広範囲に破壊され、消火材がごみ箱の広範囲にこぼれ落ちる。
また、消火具（袋体）に内圧が掛かる状態で気体が注入されている場合は、気体と接する部分が素早く炎によって広範囲に破壊され、且つ気体による内圧によって消火材は爆発的に飛散して落下する。
【００１５】
【実施例】
本発明のごみ箱用消火具を以下図面に従って説明すると、
図１は、ごみ箱用消火具のセット状態の分解斜視図であり、１は開口１ａを有するごみ箱、２は中央にごみ投入口３を形成したごみ箱１の蓋である。
４は本発明に係る消火具であり、この消火具４は、蓋２のごみ投入口３に対応してほぼ同じ大きさの通孔５が設けられている。そして、消火具４は、袋体８であり、この袋体８の中に水６と空気７が収容されている。また、空気７は袋体８に内圧が掛かるように収容してもよい。
９は水６と空気７の注入口、１０は袋体８の周縁に形成されているフレアーで、このフレアー１０内に消火具取付用の締め紐１１が横貫している。
【００１６】
図２は、図１の縦断面図であり、袋体８の下面すなわちごみに対向する面はセロファン又はプラスチックフィルム又は樹脂系のエマルジョン又はラテックス１２で形成されている。そして、袋体８の中に水６と空気７が収容されている。
図３は、セット状態の縦断面図であり、また、本図は、水６と空気７を袋体８に内圧が掛かるように収容しているもので、ごみ箱１内で発生した炎１３で袋体８の下面のセロファン又はプラスチックフィルム又は樹脂系のエマルジョン又はラテックス１２が焼けて、袋体８の中の水６が空気７によって爆発的にごみ箱１内に飛散して落下している状態を表している。
【００１７】
図４は、他の実施例のセット状態の分解斜視図であり、本図のごみ箱１は、ごみ投入口３に中央で軸回転する回転蓋１４が設けられ、ごみ投入口３が常時閉塞されうるタイプの蓋２を有するもので、このごみ箱１に装備できるように、袋体８の両端にフック１５を有する掛け紐１６を形成した消火具４である。そして、空気７は袋体８に内圧が掛かるように収容してもよい。
図５は、図４の縦断面図であり、フック１５は回転蓋１４の回転軸１８に引っ掛けられて、消火具４本体を保持する。
【００１８】
図６は、他の実施例の斜視図であり、本図の消火具４は、袋体８内部を区分けして、水６と空気７を収容する室を４室設けたものである。この場合、袋体８の中の水６が一度に全て流下することがなく、火力に応じて袋体８の適当な室が焼け破れさせて、水６をごみ箱１内に飛散させようとするものである。
【００１９】
図７は、他の実施例の斜視図であり、本図のごみ箱１は、中央山折りの屋根のそれぞれにごみ投入口３が設けられているタイプの蓋２を有するものである。消火具４は、蓋２の下面に両面テープ等によって貼り付けられて装備されている。
また、本図は、水６と空気７を袋体８に内圧が掛かるように収容しているもので、ごみ箱１内で発生した炎１３で袋体８の下面のセロファン又はプラスチックフィルム又は樹脂系のエマルジョン又はラテックス１２が焼けて、袋体８の中の水６が空気７によって爆発的にごみ箱１内に飛散して落下している状態を表している。
【００２０】
【効果】
本発明のごみ箱用消火具は以上のように構成されているので、ごみ箱に設置された時、ごみの投入に邪魔とはならず、簡単にごみ箱に設置できる。
そして、消火具の少なくとも一側が、セロハンや薄いプラスチックフィルムまた樹脂系のエマルジョンやラテックスで形成されていると共に、消火材と気体が収容されているので、気体と接する部分が素早く炎によって広範囲に破壊される。また、弾性素材を用いた消火具に気体により内圧が掛かっているものは、消火材が爆発的に飛散して落下する。これによって、消火材がごみ箱内のごみに降り掛かり消火することができる。従って、人が監視しなくとも速やかに消火を行うことができる。
【図面の簡単な説明】
【図１】ごみ箱用消火具のセット状態の分解斜視図
【図２】図１の縦断面図
【図３】セット状態の縦断面図
【図４】他の実施例のセット状態の分解斜視図
【図５】図４の縦断面図
【図６】他の実施例の斜視図
【図７】他の実施例の斜視図
【符号の説明】
１−ごみ箱，１ａ−開口，２−蓋，３−ごみ投入口，４−消火具，５−通孔，６−水，７−空気，８−袋体，９−注入口，１０−フレアー，１１−締め紐，１２−セロファン又はプラスチックフィルム又は樹脂系のエマルジョン又はラテックス，１３−炎，１４−回転蓋，１５−フック，１６−掛け紐，１７−チャンバー，１８−回転軸
【図１】
2004305229.tif 000003
【図２】
2004305229.tif 000004
【図３】
2004305229.tif 000005
【図４】
2004305229.tif 000006
【図５】
2004305229.tif 000007
【図６】
2004305229.tif 000008
【図７】
2004305229.tif 000009